(57)【要約】【課題】従来使用されてきた映像音声出力装置で、複数の映像表示装置またはＡＶアンプ装置間で繋ぎ変えが発生する時、接続を変更する度にユーザーが映像音声信号出力装置のフォーマットの設定を切り替える必要がある。【解決手段】接続される映像表示装置やＡＶアンプ装置の電源ＯＮ時、接続される装置からＥＤＩＤ情報を読み込み、ＩＤデータを読み取り、ＩＤが以前読み取ったＩＤであれば、以前接続した時に記憶している映像、音声フォーマットに自動的に設定することを特徴とする映像音声出力装置を提供する。【選択図】図１
2005175570.tif 000002
【特許請求の範囲】
【請求項１】
接続される装置から得られるデータを入力するデータ検出手段と、前記データを記憶する記憶手段と、前回接続した際に得られた前記データを前記記憶手段から読み込み出力する入出力手段と、前記データ検出手段の出力と前記入出力手段の出力とを比較し、前回接続したことがある装置かどうか判別する比較手段と、映像音声信号をＤＶＤやＣＤなどの映像音声の信号を含む媒体から受け取り、デコードして映像及び音声を出力する映像出力手段及び音声出力手段と、映像及び音声の出力データを決定するフォーマット指示手段とを備えたことを特徴とする映像音声出力装置。
【請求項２】
接続装置の電源のＯＮ／ＯＦＦ情報から映像、音声のフォーマットを決定、記憶させるタイミング指示手段をさらに備えることを特徴とする請求項１記載の映像音声出力装置。
【請求項３】
新規に接続する装置の場合に、フォーマット設定のメニュー画面を出力させるメニュー出力手段をさらに備えることを特徴とする請求項１記載の映像音声出力装置。
【発明の詳細な説明】
【技術分野】
【０００１】
本発明は、複数の素材を再生することのできる映像信音声出力装置に関するものである。
【背景技術】
【０００２】
近年ＤＶＤの需要が大幅に増え、それに伴いＤＶＤプレーヤやＤＶＤレコーダなどの映像音声出力装置の需要も急激に増えてきている。また、ＤＶＤプレーヤなどの映像音声出力装置と接続される映像表示装置やＡＶアンプ装置も多種多様なものがある。映像音声出力装置と接続する時には映像面、音声面に対してはじめにフォーマットを設定する必要がある。例えば映像面ではインターレースやプログレッシブ再生などのフォーマット設定、音声面では２ｃｈや５．１ｃｈ出力などのフォーマットや、シネマモード、ミュージックモード、クラシックモードなど機種によって異なるが設定をする必要がある。昨今、家庭での映像、音声を映画館のような環境（ホームシアター）で楽しむ人たちも増えてきており、ユーザーは高画質、高音質を求めている。映像音声出力装置やＡＶアンプ装置でのフォーマットを間違って設定すると、プログレッシブ設定をすれば高画質で見ることが可能であるのにインターレース設定のままで映像を見ているといった、機器の性能を生かしきれないままで活用してしまう場合が多々ある。
【０００３】
音声面では５．１ｃｈサラウンドシステムが増えてきており、本来５．１ｃｈのスピーカを設置する際には、広い部屋であれば、スピーカと聞く人との距離がもっともよいとされる所にするのが好ましいが、なかなか広い部屋で聞くことができる人は少ない。そこで個々のスピーカのゲインを映像出力装置の画面上で調整して最適な空間を作ることになる。映像音声出力装置を他の部屋で使用した場合、改めてフォーマットを設定し直すことになる。スピーカのゲインを設定して再び同じ最適な空間を作り出すことは、ユーザーにとって大変困難である。
【０００４】
通常音声出力装置を固定して映像表示装置やＡＶアンプ装置などに接続して使う場合では、はじめに一度フォーマットを設定することで、その後フォーマット設定を変える必要はないが、好みのフォーマットで見たい人は接続される映像表示装置やＡＶアンプ装置が変更される度にフォーマットの設定をし直し最適な状態にする必要がある。
【０００５】
今までこのようなフォーマットを設定し直すような手間のかかる面倒くさいことを軽減した発明もされていた。しかし複数のフォーマットの映像信号を出力する装置が、接続されるテレビジョン受像機の偏向周波数情報に基づいて、出力する映像信号のフォーマットを選択するものであった。また、音声面でのフォーマットの設定はできなかった（特許文献１参照。）。
【０００６】
しかしながら接続されるテレビジョン受像機によってフォーマットが判断されるためユーザーが意図するようなフォーマットであるかどうかについて定かではない。もし、意図するようなフォーマットでなかったならば、ユーザーは再びフォーマットを設定し直す必要がある。音声についても接続される機器によってその都度フォーマットの設定をしなければ、ユーザーの望む環境は得られないのが現状であった。
【特許文献１】特開２００１−１１１９１４号公報
【発明の開示】
【発明が解決しようとする課題】
【０００７】
解決しようとする課題は、従来使用されてきた映像音声出力装置で、複数の映像表示装置またはＡＶアンプ装置間で繋ぎ変えが発生する時、接続を変更する度にユーザーが映像音声信号出力装置のフォーマットの設定を切り替える必要があることである。
【課題を解決するための手段】
【０００８】
本発明の映像音声出力装置は、接続される映像表示装置やＡＶアンプ装置の電源ＯＮ時、接続される装置からＥＤＩＤ情報を読み込み、ＩＤデータを読み取る。ＥＤＩＤとはＥｘｔｅｎｄｅｄ  Ｄｉｓｐｌａｙ  Ｉｄｅｎｔｉｆｉｃａｔｉｏｎ  Ｄａｔａの略で、モニタの機種名や設定値をパソコンに伝えるモニタ独自のＩＤであり、ホストとモニタ間で情報のやり取りを行い、適切な解像度で表示することを目的としています。シンク機器の表示能力に合わせて解像度を設定するＥＤＩＤが以前読み取ったＩＤであれば、以前接続した時に記憶している映像、音声フォーマットに自動的に設定し、以前読み取ったことのないＩＤであれば、新規にフォーマット画面を出力し、ユーザーに設定してもらうようにすることで、一度設定した装置ならば自動的に映像、音声のフォーマットを設定する特徴がある。
【発明の効果】
【０００９】
本発明の映像音声出力装置は、以前に接続したことのある映像表示装置やＡＶアンプ装置であれば、改めて映像、音声フォーマットの設定をする必要がなく、映像音声装置と接続し電源をＯＮさせた瞬間に、以前設定したフォーマットの状態に自動的に設定をし直すことを可能とする利点がある。
【発明を実施するための最良の形態】
【００１０】
図１は、本装置を実施するための映像音声出力手段のブロック図を示し、図１において１は映像音声出力装置全体を表しており、２は入力映像データを出力する映像出力手段、３は入力音声データを出力する音声出力手段、４は接続される映像表示装置やＡＶアンプ装置からのＩＤデータを検出するＩＤデータ検出手段、５は以前検出されたＩＤデータと新規に得られたＩＤデータを保存するメモリー、６は以前検出されたデータをメモリーに入力し、新規のＩＤデータをメモリーに出力するメモリー入出力手段、７は映像表示装置やＡＶアンプ装置からのＩＤデータと、メモリーにある以前のＩＤデータを比較するＩＤ比較手段、８は比較されたＩＤデータによってフォーマットを管理するフォーマット管理手段、９は電源のＯＮ／ＯＦＦ情報と接続される映像表示装置やＡＶアンプ装置の電源ＯＮ／ＯＦＦ情報を検出し、１１のフォーマット指示手段に信号を与えるタイミング指示手段、１０は接続される映像表示装置やＡＶアンプ装置が新規であった時に設定画面を表示させるメニュー出力手段を構成している。
【００１１】
以上のように構成された映像音声出力装置について、以下その動作について説明する。
映像、音声の出力フォーマットを設定しない状態（初期状態）の場合、入力される映像データ、音声データは２の映像出力手段、３の音声出力手段によって初期状態のフォーマットで映像データ、音声データが出力される。
【００１２】
本発明では接続される受像機からＥＤＩＤ情報を読み込み、ＩＤデータ検出手段４によって現在接続されている機器のＩＤデータを検出する。検出したＩＤデータが以前に接続したことがあるかどうかを判断するため、メモリー５から以前に接続したＩＤデータを取り出し、メモリー入出力手段６からＩＤ比較手段７にＩＤデータが渡され、現在接続されているＩＤデータとメモリーからのＩＤデータを比較する。そこで以前に接続されたデータであれば、フォーマット管理手段８によって以前接続された時に設定したフォーマットを映像出力手段２と音声出力手段３にフォーマット情報を送り、以前のフォーマットで映像データと音声データを出力する。またＩＤ比較手段７によって以前に接続されたことのない受像機であったならば、メニュー出力手段１０によってフォーマット設定画面を出力し、設定したフォーマットデータを映像出力手段２と音声出力手段３に送り、映像データと音声データを出力する。
【００１３】
また以上のような接続した映像表示装置やＡＶアンプ装置のＩＤデータを比較するタイミングを指示するタイミング指示手段９があり、映像音声出力装置１の電源がＯＮまたはＯＦＦ状態であることがわかる情報と接続される映像表示装置やＡＶアンプ装置の電源がＯＮまたはＯＦＦ状態であることがわかる情報から両者の電源がＯＮの場合にＩＤ比較を行うので、必ずフォーマットを一度はきちんと設定され、最適な状態のフォーマットを維持することができる。
【００１４】
さらに、映像音声出力装置１または接続した映像表示装置やＡＶアンプ装置の電源がＯＮからＯＦＦ状態になった時には、映像音声出力装置は電源ＯＮ時に設定したフォーマット情報を維持したまま電源がＯＦＦになり、再び電源を入れ映像表示装置や、ＡＶアンプに接続時には設定したフォーマットで出力される。
【産業上の利用可能性】
【００１５】
本発明にかかわる映像音声出力装置は、接続される映像表示装置やＡＶアンプ装置などから得られたＩＤデータを利用して以前に接続されたフォーマットを自動的に設定することができるので、さまざまな機器との連携の際フォーマットを設定する機器に利用可能である。
【図面の簡単な説明】
【００１６】
【図１】本発明の映像音声出力装置の構成図
【符号の説明】
【００１７】
１    映像音声出力装置
２    映像出力手段
３    音声出力手段
４    ＩＤ検出手段
５    メモリー
６    メモリー入出力手段
７    ＩＤ比較手段
８    フォーマット管理手段
９    タイミング指示手段
１０    メニュー出力手段
【図１】
2005175570.tif 000003